(57)【要約】【課題】薄型化および製造コストの低廉化を図ることができる表示装置を提供する。【解決手段】フレキシブル配線基板７が接続された液晶表示パネル２と、液晶表示パネル２を収納するケース１１とを有し、ケース１１の底壁１２は開口１３を有して枠状に形成し、底壁１２の外面側に、開口１３を被覆する反射フィルム１７を配置し、反射フィルム１７とフレキシブル配線基板７との間隙に両面貼着テープ１９を配置し、反射フィルム１７における両面貼着テープ１９に対向する外周縁部分に、両面貼着テープ１９を反射フィルム１７における両面貼着テープ１９との反対向面から露出させる切り欠き部１７ａを形成し、両面貼着テープ１９の対向面うち反射フィルム１７の切り欠き部１７ａに対向する部分を底壁１２の外面に貼着し、前記対向面における他の部分を反射フィルム１７に貼着するとともに、両面貼着テープ１９の反対向面をフレキシブル配線基板７に貼着する。【選択図】 図１
2008089776.tif 000002
【特許請求の範囲】
【請求項１】
フレキシブル配線基板が接続された表示パネルと、前記表示パネルを収納するケースとを有し、前記ケースにおける反視認側に位置する底壁は、開口を有して枠状に形成されており、
前記底壁の外面側に、前記開口を被覆する反射フィルムと、前記反射フィルムのいずれか一方の面に対向する両面貼着テープとが配置され、
前記反射フィルムにおける前記両面貼着テープに対向する部分に、前記両面貼着テープを前記反射フィルムにおける前記両面貼着テープとの対向面と反対側の反対向面から露出させる露出部が形成され、
前記両面貼着テープの前記反射フィルムとの対向面が、前記反射フィルムと、前記露出部を介して前記フレキシブル配線基板および前記底壁のいずれか一方とに貼着され、前記両面貼着テープの前記対向面と反対側の反対向面が、前記フレキシブル配線基板および前記底壁のいずれか他方に貼着されていることを特徴とする表示装置。
【請求項２】
前記両面貼着テープが、前記反射フィルムと前記フレキシブル配線基板との間隙に配置され、
前記両面貼着テープにおける前記対向面のうち前記反射フィルムの前記露出部に対向する部分が、前記底壁の外面に貼着され、前記対向面における他の部分が、前記反射フィルムに貼着されているとともに、前記両面貼着テープにおける前記反対向面が、前記フレキシブル配線基板に貼着されている請求項１に記載の表示装置。
【請求項３】
前記両面貼着テープが、前記反射フィルムと前記ケースにおける前記底壁との間隙に配置され、
両面貼着テープにおける前記対向面のうち前記反射フィルムの前記露出部に対向する部分が、前記フレキシブル配線基板に貼着され、前記対向面における他の部分が、前記反射フィルムに貼着されているとともに、前記両面貼着テープにおける前記反対向面が、前記底壁の外面に貼着されている請求項１に記載の表示装置。
【請求項４】
前記露出部が、前記反射フィルムの外周縁における所定の部分に形成された切り欠き部とされている請求項１から請求項３のいずれか１項に記載の表示装置。
【発明の詳細な説明】
【技術分野】
【０００１】
本発明は表示装置に係り、特に、ケースの内部に、フレキシブル配線基板が接続された表示パネルが収納されている表示装置に関する。
【背景技術】
【０００２】
従来より、液晶表示装置等の表示装置が、コンピュータや携帯電話等の電気機器等の表示手段として多用されている。
【０００３】
図５は、従来の液晶表示装置の一例を示す模式的分解斜視図、図６は、図５の表示装置の模式的側面図である。
【０００４】
図５および図６に示すように、従来の液晶表示装置２１における液晶表示パネル２２は、一対のパネル基板２３ａ、２３ｂを有し、両パネル基板２３のうち一方のパネル基板２３ａは他方のパネル基板２３ｂと比較して平面形状が大きく形成され、この大きく形成された部分は、端子部２５とされている。端子部２５には、両パネル基板２３ａ、２３ｂの相互に対向する内面に設けられた図示しない表示電極の電極端子が延設されており、電極端子は、液晶表示パネル２２に電力を供給するためのフレキシブル配線基板２７のリード電極に導電接着材を介して電気的に接続されている。
【０００５】
また、液晶表示装置２１は、液晶表示パネル２２に照射光を照射するための光源２９ａや、光源２９ａからの照射光を液晶表示パネル２２側に導く導光板２９ｂ、その他、光学フィルム２９ｃ等を備えたバックライトユニット２９を有している。
【０００６】
この液晶表示パネル２２およびバックライトユニット２９は、ケース３１の内部に、バックライトユニット２９を液晶表示パネル２２の反視認側に配置して積層して収納されており、液晶表示パネル２２に接続されたフレキシブル配線基板２７は、ケース３１の外部に延出して配置されている。
【０００７】
このケース３１の反視認側の底壁３２には、開口３３が形成されており、底壁３２の外面には、開口３３を被覆してバックライトユニット２９からの照射光を液晶表示パネル２２の方向に反射させる反射フィルム３７が、枠状の第１両面貼着テープ３９によって貼着されている。さらに、反射フィルム３７における反視認側の面には、ケース３１の外部に延出して配置されたフレキシブル配線基板２７が、折曲されて第２両面貼着テープ４０によって貼着されており、これにより、フレキシブル配線基板２７は、反射フィルム３７を介してケース３１における底壁３２の外面に貼着されている。
【発明の開示】
【発明が解決しようとする課題】
【０００８】
しかし、前述のような従来の液晶表示装置２１においては、ケース３１の底壁３２に反射フィルム３７およびフレキシブル配線基板２７を貼着するために、第１両面貼着テープ３９および第２両面貼着テープ４０の２枚の両面貼着テープ３９、４０を用いており、このため、液晶表示装置２１が厚くなってしまっていた。また、２枚の両面貼着テープ３９、４０を用いているので、液晶表示装置２１の製造コストもあがってしまうという問題を有していた。
【０００９】
本発明はこれらの点に鑑みてなされたものであり、薄型化および製造コストの低廉化を図ることができる表示装置を提供することを目的とする。
【課題を解決するための手段】
【００１０】
前記目的を達成するため、請求項１に記載の発明に係る表示装置の特徴は、フレキシブル配線基板が接続された表示パネルと、前記表示パネルを収納するケースとを有し、前記ケースにおける反視認側に位置する底壁は、開口を有して枠状に形成されており、前記底壁の外面側に、前記開口を被覆する反射フィルムと、前記反射フィルムのいずれか一方の面に対向する両面貼着テープとが配置され、前記反射フィルムにおける前記両面貼着テープに対向する部分に、前記両面貼着テープを前記反射フィルムにおける前記両面貼着テープとの対向面と反対側の反対向面から露出させる露出部が形成され、前記両面貼着テープの前記反射フィルムとの対向面が、前記反射フィルムと、前記フレキシブル配線基板および前記底壁のいずれか一方とに貼着され、前記両面貼着テープの前記対向面と反対側の反対向面が、前記フレキシブル配線基板および前記底壁のいずれか他方に貼着されている点にある。
【００１１】
この請求項１に記載の発明によれば、反射フィルムの露出部によって、両面貼着テープを反射フィルムにおける両面貼着テープとの反対向面から露出させることにより、両面貼着テープにおける反射フィルムとの対向面を、反射フィルムの他、フレキシブル配線基板または底壁の外面のいずれか一方に貼着させることができる。そして、両面貼着テープにおける反射フィルムとの反対向面を、フレキシブル配線基板または底壁の外面のいずれか他方に貼着させることにより、ケースにおける底壁の外面に、反射フィルムおよびフレキシブル配線基板を１枚の両面貼着テープによって貼着することができる。
【００１２】
また、請求項２に記載の発明に係る表示装置の特徴は、前記両面貼着テープが、前記反射フィルムと前記フレキシブル配線基板との間隙に配置され、前記両面貼着テープにおける前記対向面のうち前記反射フィルムの前記露出部に対向する部分が、前記底壁の外面に貼着され、前記対向面における他の部分が、前記反射フィルムに貼着されているとともに、前記両面貼着テープの前記反対向面が、前記フレキシブル配線基板に貼着されている点にある。
【００１３】
この請求項２に記載の発明によれば、反射フィルムの露出部によって、両面貼着テープを反射フィルムにおける両面貼着テープとの反対向面から露出させることにより、両面貼着テープにおける反射フィルムとの対向面を、反射フィルムの他、ケースにおける底壁の外面に貼着させることができる。そして、両面貼着テープにおける反射フィルムとの反対向面を、フレキシブル配線基板に貼着させることにより、ケースにおける底壁の外面に貼着する反射フィルムおよびフレキシブル配線基板を１枚の両面貼着テープによって貼着することができる。
【００１４】
さらに、請求項３に記載の発明に係る表示装置の特徴は、前記両面貼着テープが、前記反射フィルムと前記ケースにおける前記底壁との間隙に配置され、両面貼着テープにおける前記対向面のうち前記反射フィルムの前記露出部に対向する部分が、前記フレキシブル配線基板に貼着され、前記対向面における他の部分が、前記反射フィルムに貼着されているとともに、前記両面貼着テープにおける前記反対向面が、前記底壁の外面に貼着されている点にある。
【００１５】
この請求項３に記載の発明によれば、反射フィルムの露出部によって、両面貼着テープを反射フィルムにおける両面貼着テープとの反対向面から露出させることにより、両面貼着テープにおける反射フィルムとの対向面を、反射フィルムの他、フレキシブル配線基板に貼着させることができる。そして、両面貼着テープにおける反射フィルムとの反対向面を、ケースにおける底壁の外面に貼着させることにより、ケースにおける底壁の外面に貼着する反射フィルムおよびフレキシブル配線基板を１枚の両面貼着テープによって貼着することができる。
【００１６】
さらにまた、請求項４に記載の発明に係る表示装置の特徴は、前記露出部が、前記反射フィルムの外周縁における所定の部分に形成された切り欠き部とされている点にある。
【００１７】
この請求項４に記載の発明によれば、反射フィルムの切り欠き部によって、両面貼着テープを反射フィルムにおける両面貼着テープとの反対向面から露出させることができ、これにより、両面貼着テープにおける反射フィルムとの対向面を、反射フィルムの他、フレキシブル配線基板または底壁の外面のいずれか一方に貼着させることができる。
【発明の効果】
【００１８】
以上述べたように、本発明に係る表示装置によれば、１枚の両面貼着テープによって反射フィルムおよびフレキシブル配線基板をケースにおける底壁の外面に貼着することができるので、表示装置の薄型化を図ることができるとともに、製造コストの低廉化を図ることができる。
【発明を実施するための最良の形態】
【００１９】
以下、本発明に係る表示装置の一実施形態を図１から図４を参照して説明する。ここで、本実施形態においては表示装置として液晶表示装置を用いて説明するが、本発明に係る表示装置は、これに限定するものではない。
【００２０】
図１は、本実施形態に係る液晶表示装置を示す模式的斜視図、図２は、図１の液晶表示装置を矢印Ａ方向から視認した場合を示す模式的側面図である。
【００２１】
図１および図２に示すように、本実施形態に係る液晶表示装置１における液晶表示パネル２は、一対のパネル基板３ａ、３ｂを有しており、両パネル基板３ａ、３ｂのうち一方のパネル基板３ａは他方のパネル基板３ｂと比較して平面形状が大きく形成され、この大きく形成された部分は端子部５とされている。両パネル基板３ａ、３ｂにおける相互に対向する内面には図示しない表示電極が設けられており、各表示電極は、端子部５に延設されて電極端子とされている。そして、各電極端子の先端部分は、液晶表示パネル２に電力を供給するためのフレキシブル配線基板７に設けられた各リード端子に導電接着材を介して電気的に接続されており、これにより、フレキシブル配線基板７は液晶表示パネル２の端子部５に接続されている。
【００２２】
また、液晶表示装置１は、液晶表示パネル２に照射光を照射するためのバックライトユニット９を有し、バックライトユニット９は、照射光を液晶表示パネル２側に導く導光板９ａ、導光板９ａの側面に対向して配置され導光板９ａの方向に照射光を照射する光源９ｂ、導光板９ａの視認側に積層して配置された光学フィルム９ｃ等を備えている。
【００２３】
そして、この液晶表示パネル２およびバックライトユニット９は、ケース１１の内部に、バックライトユニット９を液晶表示パネル２の反視認側に配置して液晶表示パネル２に積層して収納されている。
【００２４】
液晶表示パネル２およびバックライトユニット９を収納するケース１１は、ケース１１における反視認側に配置される矩形状の底壁１２を有しており、底壁１２の中央部には開口１３が形成され、これにより、底壁１２は枠状に形成されている。底壁１２の周縁部には、それぞれ側壁１５が立設されており、各側壁１５のうち液晶表示パネル２の端子部５におけるフレキシブル配線基板７が接続されている端縁に対向して配置されている第１側壁１５ａには、フレキシブル配線基板７の配置位置に対向する部分に開口部１５ｂが切り欠き形成されている。そして、液晶表示パネル２がケース１１に収納された状態において、液晶表示パネル２に接続されたフレキシブル配線基板７の一端部分は、開口部１５ｂを介してケース１１の外部に延出して配置されるようになっている。
【００２５】
ケース１１の底壁１２における外面には、開口１３を被覆してバックライトユニット９からの照射光を液晶表示パネル２側に反射させるための反射フィルム１７が配置されており、反射フィルム１７の反視認側には、反射フィルム１７の外周縁部分に対向する大きさの矩形枠状の両面貼着テープ１９が配置されている。
【００２６】
反射フィルム１７の外周縁における各辺の両端部分および中央部分には、両面貼着テープ１９を、反射フィルム１７における両面貼着テープ１９との対向面と反対側の反対向面から露出させる露出部としての切り欠き部１７ａが形成されている。本実施形態においては、両面貼着テープ１９の視認側の面における反射フィルム１７の切り欠き部１７ａに対向する部分が、反射フィルム１７の視認側の面から露出されるようになっている。そして、両面貼着テープ１９の視認側の面における反射フィルム１７の外周縁部分に対向する部分は、反射フィルム１７の反視認側の面に貼着されるとともに（図３における斜線部分）、両面貼着テープ１９の視認側の面における反射フィルム１７の切り欠き部１７ａに対向する部分は、ケース１１における底壁１２の外面に貼着されている（図３における点線部分）。これにより、反射フィルム１７は、両面貼着テープ１９によって底壁１２の外面に貼着されて固定されている。
【００２７】
また、ケース１１の外部に延出して配置されたフレキシブル配線基板７は、折曲されて両面貼着テープ１９の反視認側に配置され、両面貼着テープ１９によって反射フィルム１７の反視認側の面に貼着されている。これにより、フレキシブル配線基板７は、両面貼着テープ１９によって、反射フィルム１７を介して底壁１２の外面に貼着されて固定されている。
【００２８】
なお、本実施形態においては、両面貼着テープ１９を反射フィルム１７における両面貼着テープ１９との反対向面から露出させる露出部として、反射フィルム１７の外周縁部分に切り欠き部１７ａを形成しているが、本発明の露出部はこれに限定されるものではない。例えば、反射フィルム１７の外周縁部分に開口部を形成することにより、両面貼着テープ１９を反射フィルム１７における両面貼着テープ１９との反対向面から露出させる等、種々の手段によって露出部を形成することができる。
【００２９】
次に、本実施形態の作用について説明する。
【００３０】
本実施形態によれば、反射フィルム１７の切り欠き部１７ａによって、両面貼着テープ１９を反射フィルム１７における両面貼着テープ１９との反対向面から露出させることにより、両面貼着テープ１９の視認側の面のうち反射フィルム１７の外周縁部分に対向する部分を、反射フィルム１７に貼着させることができるとともに、反射フィルム１７の露出部に対向する部分を、ケース１１における底壁１２の外面に貼着させることができる。そして、両面貼着テープ１９の反視認側の面を、フレキシブル配線基板７に貼着させることにより、ケース１１における底壁１２の外面に貼着する反射フィルム１７およびフレキシブル配線基板７を１枚の両面貼着テープ１９によって貼着することができる。
【００３１】
したがって、１枚の両面貼着テープ１９によって反射フィルム１７およびフレキシブル配線基板７をケース１１における底壁１２の外面に貼着することができるので、液晶表示装置１の薄型化を図ることができるとともに、製造コストの低廉化を図ることができる。
【００３２】
次に、本発明の第２の実施形態に係る液晶表示装置１について、図４を参照して説明する。なお、第２の実施形態において第１の実施形態と同一の構成については詳説を省略し、同一の符号を用いて説明する。
【００３３】
図４は、第２の実施形態に係る液晶表示装置１の模式的分解斜視図であり、ケース１１の底壁１２における外面には、開口１３を被覆してバックライトユニット９からの照射光を液晶表示パネル２側に反射させるための反射フィルム１７が配置されており、反射フィルム１７の視認側、すなわち反射フィルム１７と底壁１２との間隙には、反射フィルム１７の外周縁部分に対向する大きさの矩形枠状の両面貼着テープ１９が配置されている。
【００３４】
この第２の実施形態においては、両面貼着テープ１９の反視認側の面における反射フィルム１７の切り欠き部１７ａに対向する部分が、反射フィルム１７の反視認側の面から露出されるようになっている。そして、両面貼着テープ１９の反視認側の面における反射フィルム１７の外周縁部分に対向する部分は、反射フィルム１７の視認側の面に貼着されるとともに、両面貼着テープの反視認側の面における反射フィルム１７の切り欠き部１７ａに対向する部分は、ケース１１の外部に延出して配置されたフレキシブル配線基板７に貼着されている。
【００３５】
また、両面貼着テープ１９の視認側の面は、ケース１１における底壁１２の外面に貼着されている。これにより、反射フィルム１７およびフレキシブル配線基板７は、両面貼着テープ１９によって底壁１２の外面に貼着されて固定されている。
【００３６】
次に、第２の実施形態の作用について説明する。
【００３７】
第２の実施形態によれば、第１の実施形態と同様、反射フィルム１７の切り欠き部１７ａによって、両面貼着テープ１９を反射フィルム１７における両面貼着テープ１９との反対向面から露出させることができる。これにより、両面貼着テープ１９の反視認側の面のうち反射フィルム１７の外周縁部分に対向する部分を、反射フィルム１７に貼着させることができるとともに、反射フィルム１７の切り欠き部１７ａに対向する部分を、フレキシブル配線基板７に貼着させることができる。そして、両面貼着テープ１９の視認側の面を、ケース１１における底壁１２の外面に貼着させることにより、ケース１１における底壁１２の外面に、反射フィルム１７およびフレキシブル配線基板７を１枚の両面貼着テープ１９によって貼着することができる。
【００３８】
したがって、１枚の両面貼着テープ１９によって反射フィルム１７およびフレキシブル配線基板７をケース１１における底壁１２の外面に貼着することができるので、液晶表示装置１の薄型化を図ることができるとともに、製造コストの低廉化を図ることができる。
【００３９】
なお、本発明は前記実施形態に限定されるものではなく、必要に応じて種々変更することが可能である。
【図面の簡単な説明】
【００４０】
【図１】本発明に係る表示装置の一実施形態を示す模式的斜視図
【図２】図１の表示装置を矢印Ａ方向から視認した場合を示す模式的側面図
【図３】図１の表示装置における両面貼着テープと反射フィルムおよびケースの底壁との貼着状態を示す模式的底面図
【図４】本発明に係る表示装置の他の実施形態を示す模式的斜視図
【図５】従来の表示装置の一例を示す模式的斜視図
【図６】図５の表示装置を矢印Ｂ方向から視認した場合を示す模式的側面図
【符号の説明】
【００４１】
１  液晶表示装置
２  液晶表示パネル
７  フレキシブル配線基板
９  バックライトユニット
１１  ケース
１２  底壁
１３  開口
１５  側壁
１７  反射フィルム
１７ａ  切り欠き部
１９  両面貼着テープ
【図１】
2008089776.tif 000003
【図２】
2008089776.tif 000004
【図３】
2008089776.tif 000005
【図４】
2008089776.tif 000006
【図５】
2008089776.tif 000007
【図６】
2008089776.tif 000008